(57)【要約】      （修正有）【課題】透水、通気性が良く、直接水洗いできる敷物を提供する。【解決手段】密度が２０−３５ｇ／ｃｍ３で、孔径が１０−６０ｐｐｉであるブラストスポンジを用いるパッドコア１と、パッドコア１の外層を覆い、網状構造の繊維素材を用いるカバー層２を備える。【選択図】図１
2018083048.tif 000002
【特許請求の範囲】
【請求項１】
密度が２０−３５ｇ／ｃｍ３で、孔径が１０−６０ｐｐｉであるブラストスポンジを用いるパッドコアと、
パッドコアの外層を覆い、網状構造の繊維素材を用いるカバー層と、
を備えることを特徴とする敷物。
【請求項２】
前記パッドコアはメイン荷重領域と補助荷重領域を備えることを特徴とする請求項１に記載の敷物。
【請求項３】
更に補強骨格を備え、前記補強骨格は複数のブリッジを備え、前記ブリッジはアーチサポート部とアーチ橋を備え、前記アーチサポート部はパッドコア一側における２つの並置された頂角に位置し、且つメイン荷重領域の一側に隣接し、
前記アーチ橋は一端がアーチサポート部に接続され、他端がパッドコアの他側における対角線頂角まで延び、且つ補助荷重領域の一側に隣接することを特徴とする請求項２に記載の敷物。
【請求項４】
前記ブリッジは２つあり、２つのブリッジは交差して配置され、２つのブリッジの交差箇所の下方には２つの垂直方向に積層した中空の弾性片が設けられていることを特徴とする請求項３に記載の敷物。
【請求項５】
前記中空の弾性片は六角形の中空弾性プラスチックシートであり、前記弾性プラスチックシートの弾性係数はブラストスポンジの弾性係数の１．２倍であることを特徴とする請求項４に記載の敷物。
【請求項６】
前記アーチサポート部には複数の孔が設けられていることを特徴とする請求項３に記載の敷物。
【請求項７】
前記アーチ橋には複数の通気溝が設けられていることを特徴とする請求項３に記載の敷物。
【請求項８】
前記通気溝は、矩形であることを特徴とする請求項７に記載の敷物。
【請求項９】
前記カバー層には開口が開けられ、前記開口はファスナーによって開閉されることを特徴とする請求項３に記載の敷物。
【発明の詳細な説明】
【技術分野】
【０００１】
本発明は日常生活における敷物分野に関し、特に敷物に関する。
【背景技術】
【０００２】
敷物は使い心地がよく、且つ装飾の役割を果たし、方形、円形及び楕円形の形状を有するものが多い。敷物の材料は綿布、フランネル、ブロケード、ナイロン又はリネンであり、最も快適な素材はメモリフォーム素材である。
【０００３】
現在、敷物内に使用されるパッドコアはスポンジを用いる場合が多い。しかし、用いられたスポンジの密度が高い場合、硬度が高くなり、透水、通気性が悪くなり、弾性性能が低くなってしまう。一方、用いられたスポンジの密度が低い場合、硬度が低くなり、通気性が改善されるが、大きな重みには耐えられずに、スポンジが圧縮されて硬くなりやすいため、座られる領域のスポンジ密度が高くなることで、実際の使用領域のスポンジの局所密度が高くなり、硬度も高くなり、透水、通気性が悪くなり、弾性性能が低く、その使い心地も悪くなってしまう。かつ、従来の敷物に使用されるスポンジは透水、通気性が悪く、直接水洗いできない（吸水しやすい）。
【発明の概要】
【発明が解決しようとする課題】
【０００４】
本発明は、従来の敷物における透水、通気性が悪く、直接水洗いできないという欠点を解消できる敷物を提供することを目的とする。
【課題を解決するための手段】
【０００５】
上記の目的を達成するための本発明に係る敷物は、密度が２０−３５ｇ／ｃｍ３で、孔径が１０−６０ｐｐｉであるブラストスポンジを用いるパッドコアと、パッドコアの外層を覆い、網状構造の繊維素材を用いるカバー層と、を備える。本発明に係る敷物によれば、密度が２０−３５ｇ／ｃｍ３で、孔径が１０−６０ｐｐｉであるブラストスポンジ構造を利用しているため、直接水洗いでき、通気性が優れている。
【０００６】
好ましくは、前記パッドコアはメイン荷重領域と補助荷重領域を備える。
【０００７】
好ましくは、前記敷物は更に補強骨格を備え、前記補強骨格は複数のブリッジを備え、前記ブリッジはアーチサポート部とアーチ橋を備える。前記アーチサポート部はパッドコア一側における２つの並置された頂角に位置し、且つメイン荷重領域の一側に隣接する。前記アーチ橋は一端がアーチサポート部に接続され、他端がパッドコアの他側における対角線頂角まで延び、且つ補助荷重領域の一側に隣接する。パッドコアがメイン荷重領域、補助荷重領域、及び補強骨格の構造を備え、異なる荷重の大きさに基づいて個別に設置し、且つ補強骨格の構造を設置することにより、従来のスポンジが圧縮されて変形した場合、付勢領域の局所スポンジ密度を高くし、実際の使用領域のスポンジの局所密度が高くなり、硬度も高くなり、透水、通気性が悪くなり、弾性性能が低く、その使い心地も悪くなるという欠陥を効果的に回避できる。
【０００８】
好ましくは、前記ブリッジは２つあり、２つのブリッジは交差して配置され、２つのブリッジの交差箇所の下方には２つの垂直方向に積層した中空の弾性片が設けられている。２つのブリッジが交差して配置され、２つのブリッジの交差箇所の下方には２つの垂直方向に積層した中空の弾性片が設けられることにより、メイン荷重領域の耐圧性がより高く、弾性性能がより良くなる。
【０００９】
好ましくは、前記中空の弾性片は六角形の中空弾性プラスチックシートであり、前記弾性プラスチックシートの弾性係数はブラストスポンジの弾性係数の１．２倍である。１．２倍の弾性係数によって、その快適性がより高くなる。
【００１０】
好ましくは、前記アーチサポート部には複数の孔が設けられている。複数の孔が設置されることにより、アーチサポート部の重量を更に軽減させ、且つ耐圧性を高くすることができる。
【００１１】
好ましくは、前記アーチ橋には複数の通気溝が設けられている。
【００１２】
好ましくは、前記通気溝は、矩形である。矩形の通気溝が設置されることにより、アーチ橋の局所領域の通気性を効果的に改善できる。
【００１３】
好ましくは、前記カバー層には開口が開けられ、前記開口はファスナーによって開閉される。
【発明の効果】
【００１４】
従来技術に比べて、本発明の技術解決手段には以下のような利点を有する。
【００１５】
本発明に係る敷物によれば、密度が２０−３５ｇ／ｃｍ３で、孔径が１０−６０ｐｐｉであるブラストスポンジ構造を利用しているため、直接水洗いでき、通気性が優れている。
【００１６】
さらに、パッドコアがメイン荷重領域、補助荷重領域、及び補強骨格の構造を備え、異なる荷重の大きさに基づいて個別に設置し、且つ補強骨格の構造を設置することにより、従来のスポンジが圧縮されて変形した場合、付勢領域の局所スポンジ密度を高くし、実際の使用領域のスポンジの局所密度が高くなり、硬度も高くなり、透水、通気性が悪くなり、弾性性能が低く、その使い心地も悪くなるという欠陥を効果的に回避できる。
【００１７】
２つのブリッジが交差して配置され、２つのブリッジの交差箇所の下方には２つの垂直方向に積層した中空の弾性片が設けられることにより、メイン荷重領域の耐圧性がより高く、弾性性能がより良くなる。また、１．２倍の弾性係数によって、その快適性がより高くなる。さらに、複数の孔が設置されることにより、アーチサポート部の重量を更に軽減させ、且つ耐圧性を高くすることができる。また、矩形の通気溝が設置されることにより、アーチ橋の局所領域の通気性を効果的に改善できる。
【図面の簡単な説明】
【００１８】
【図１】本発明の実施例１に係る敷物の上面構造を示す模式図である。
【図２】本発明の実施例２に係る敷物の上面構造を示す模式図である。
【図３】本発明の実施例２に係る敷物のブリッジ断面に沿う構造を示す模式図である。
【図４】本発明の実施例２に係る敷物のブリッジ構造を示す模式図である。
【図５】本発明の実施例２に係る敷物の中空の弾性片の構造を示す模式図である。
【発明を実施するための形態】
【００１９】
以下では、図面を参照しながら、具体的な実施例によって、本発明の技術解決手段を明確に、詳しく説明する。
【００２０】
（実施例１）
本発明に係る敷物（図１を参照）は、密度が２０−３５ｇ／ｃｍ３で、孔径が１０−６０ｐｐｉであるブラストスポンジを用いるパッドコア１と、パッドコア１の外層を覆い、網状構造の繊維素材を用いるカバー層２と、を備える。本発明に係る敷物によれば、密度が２０−３５ｇ／ｃｍ３で、孔径が１０−６０ｐｐｉであるブラストスポンジ構造を利用しているため、直接水洗いでき、通気性が優れている。本発明において、ｐｐｉは単位インチあたりの孔数である。本発明において、ブラストスポンジの硬度は６０−８０Ｎである。カバー層には開口６が開けられ、開口６はファスナーによって開閉される。本発明に係る敷物は座布団、枕、ランバーサポート、マットレス及びヘッドレスト等の具体的な家庭用品に適用できる。
【００２１】
（実施例２）
本発明に係る敷物（図２、３、４、５を参照）は、密度が２０−３５ｇ／ｃｍ３で、孔径が１０−６０ｐｐｉであるブラストスポンジを用いるパッドコア１と、パッドコア１の外層を覆い、網状構造の繊維素材を用いるカバー層２と、を備える。本発明に係る敷物によれば、密度が２０−３５ｇ／ｃｍ３で、孔径が１０−６０ｐｐｉであるブラストスポンジ構造を利用しているため、直接水洗いでき、通気性が優れている。
【００２２】
上記パッドコア１は、メイン荷重領域４と補助荷重領域５を備える。本発明に係る敷物は更に補強骨格３を備え、補強骨格３は複数のブリッジ１１を備え、ブリッジ１１はアーチサポート部１２とアーチ橋１４を備える。アーチサポート部１２はパッドコア１一側の２つの並置された頂角に位置し、且つメイン荷重領域４の一側に隣接する。アーチ橋１４は一端がアーチサポート部１２に接続され、他端がパッドコア１の他側の対角線頂角まで延び、且つ補助荷重領域５の一側に隣接する。パッドコア１がメイン荷重領域４、補助荷重領域５、及び補強骨格３の構造を備え、異なる荷重の大きさに基づいて個別に設置し、且つ補強骨格３の構造を設置することにより、従来のスポンジが圧縮されて変形した場合、付勢領域の局所スポンジ密度を高くし、実際の使用領域のスポンジの局所密度が高くなり、硬度も高くなり、透水、通気性が悪くなり、弾性性能が低く、その使い心地も悪くなるという欠陥を効果的に回避できる。
【００２３】
ブリッジ１１は２つあり、２つのブリッジ１１は交差して配置され、２つのブリッジ１１の交差箇所の下方には２つの垂直方向に積層した中空の弾性片１５が設けられている。２つのブリッジ１１が交差して配置され、２つのブリッジ１１の交差箇所の下方には２つの垂直方向に積層した中空の弾性片１５が設けられることにより、メイン荷重領域４の耐圧性がより高く、弾性性能がより良くなる。
【００２４】
中空の弾性片１５は六角形の中空弾性プラスチックシートであり、弾性プラスチックシートの弾性係数はブラストスポンジの弾性係数の１．２倍である。１．２倍の弾性係数によって、その快適性がより高くなる。
【００２５】
アーチサポート部１２には複数の孔２１が設けられている。複数の孔２１が設置されることにより、アーチサポート部１２の重量を更に軽減させ、且つ耐圧性を高くすることができる。アーチ橋１４には複数の通気溝２２が設けられている。通気溝２２は、矩形である。矩形の通気溝２２が設置されることにより、アーチ橋１４の局所領域の通気性を効果的に改善できる。カバー層には開口６が開けられ、開口６はファスナーによって開閉される。
【００２６】
本実施例を実施する場合、ファスナーを開き、パッドコアを着脱し、交換することができ、使用時にはアーチ橋を上に向け、そのアーチ橋の面を正面とし、使用者の臀部又は後頭部がメイン荷重領域を押し、脚部又はネックが補助荷重領域を押す。
【００２７】
以上記載されるように、本発明は好ましい実施例で記載されたが、本発明はそれに限定されるものではなく、いわゆる当業者は、本発明の技術的思想と範囲を逸脱しない範囲内において、上記記載の方法と技術的内容を利用して本発明の技術解決手段を変更、修正することができる。従って、本発明の技術解決手段の内容から逸脱せずに、本発明の趣旨に基づいて上記実施例に対して行った簡単な修正、均等の変更及び修正は、いずれも本発明の保護範囲に属する。
【符号の説明】
【００２８】
１  パッドコア、
２  カバー層、
３  補強骨格、
４  メイン荷重領域、
５  補助荷重領域、
６  開口、
１１  ブリッジ、
１２  アーチサポート部、
１４  アーチ橋、
１５  中空の弾性片、
２１  孔、
２２  通気溝。
【図１】
2018083048.tif 000003
【図２】
2018083048.tif 000004
【図３】
2018083048.tif 000005
【図４】
2018083048.tif 000006
【図５】
2018083048.tif 000007
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
スポンジからなるパッドコアと、パッドコアの外層を覆い、網状構造の繊維素材を用いるカバー層と、補強骨格と、を備え、
前記パッドコアは、使用者の臀部に押されるメイン荷重領域と使用者の脚部に押される補助荷重領域を備え、
前記補強骨格は２つのブリッジを備え、前記ブリッジはアーチサポート部とアーチ橋を備え、
前記パッドコアは４つの頂角を有する矩形であって、当該パッドコアに対して前記２つのブリッジは交差して配置され、
前記各アーチサポート部はパッドコアの２つの並置された頂角にそれぞれ位置し、且つ前記メイン荷重領域に位置して当該メイン荷重領域を補強し、
前記各アーチ橋は一端がそれぞれのアーチサポート部に接続され、他端がパッドコアの他の２つの並置された対角線頂角まで延び、且つ前記補助荷重領域に位置して当該補助荷重領域を補強することを特徴とする敷物。
【請求項２】
前記２つのブリッジの交差箇所の下方には２つの垂直方向に積層した中空の弾性片が設けられていることを特徴とする請求項１に記載の敷物。
【請求項３】
前記中空の弾性片は六角形の中空弾性プラスチックシートであり、前記中空弾性プラスチックシートの弾性係数は前記スポンジの弾性係数よりも高いことを特徴とする請求項２に記載の敷物。
【請求項４】
前記アーチサポート部には複数の孔が設けられていることを特徴とする請求項１に記載の敷物。
【請求項５】
前記アーチ橋には複数の通気溝が設けられていることを特徴とする請求項１に記載の敷物。
【請求項６】
前記通気溝は、矩形であることを特徴とする請求項５に記載の敷物。
【請求項７】
前記カバー層には開口が開けられ、前記開口はファスナーによって開閉されることを特徴とする請求項１〜６のいずれか一項に記載の敷物。
【手続補正２】
【補正対象書類名】明細書
【補正対象項目名】０００５
【補正方法】変更
【補正の内容】
【０００５】
上記の目的を達成するための本発明に係る敷物は、密度が２０−３５ｋｇ／ｃｍ３で、孔数が１０−６０ｐｐｉであるブラストスポンジを用いるパッドコアと、パッドコアの外層を覆い、網状構造の繊維素材を用いるカバー層と、を備える。本発明に係る敷物によれば、密度が２０−３５ｋｇ／ｃｍ３で、孔数が１０−６０ｐｐｉであるブラストスポンジ構造を利用しているため、直接水洗いでき、通気性が優れている。
【手続補正３】
【補正対象書類名】明細書
【補正対象項目名】００１５
【補正方法】変更
【補正の内容】
【００１５】
本発明に係る敷物によれば、密度が２０−３５ｋｇ／ｃｍ３で、孔数が１０−６０ｐｐｉであるブラストスポンジ構造を利用しているため、直接水洗いでき、通気性が優れている。
【手続補正４】
【補正対象書類名】明細書
【補正対象項目名】００２０
【補正方法】変更
【補正の内容】
【００２０】
（実施例１）
本発明に係る敷物（図１を参照）は、密度が２０−３５ｋｇ／ｃｍ３で、孔数が１０−６０ｐｐｉであるブラストスポンジを用いるパッドコア１と、パッドコア１の外層を覆い、網状構造の繊維素材を用いるカバー層２と、を備える。本発明に係る敷物によれば、密度が２０−３５ｋｇ／ｃｍ３で、孔数が１０−６０ｐｐｉであるブラストスポンジ構造を利用しているため、直接水洗いでき、通気性が優れている。本発明において、ｐｐｉは単位インチあたりの孔数である。本発明において、ブラストスポンジの硬度は６０−８０Ｎである。カバー層には開口６が開けられ、開口６はファスナーによって開閉される。本発明に係る敷物は座布団、枕、ランバーサポート、マットレス及びヘッドレスト等の具体的な家庭用品に適用できる。
【手続補正５】
【補正対象書類名】明細書
【補正対象項目名】００２１
【補正方法】変更
【補正の内容】
【００２１】
（実施例２）
本発明に係る敷物（図２、３、４、５を参照）は、密度が２０−３５ｋｇ／ｃｍ３で、孔数が１０−６０ｐｐｉであるブラストスポンジを用いるパッドコア１と、パッドコア１の外層を覆い、網状構造の繊維素材を用いるカバー層２と、を備える。本発明に係る敷物によれば、密度が２０−３５ｋｇ／ｃｍ３で、孔数が１０−６０ｐｐｉであるブラストスポンジ構造を利用しているため、直接水洗いでき、通気性が優れている。